(57)【要約】      （修正有）【課題】安全に効率よく玉掛け作業を行うことができる玉掛け用フックを提供する。【解決手段】玉掛け用フック２は、フック本体５の先端部に延長用アタッチメント７が取り付けられ、フックの先端部を吊環等の玉掛け対象物１０に挿入し易く、安全に玉掛け作業を行うことができる。また、玉掛け対象物と吊り下ろされた玉掛け用フックの位置が離れている場合であっても、延長用アタッチメントに案内させて容易に吊環等の玉掛け対象物にフックを係合させることができる。【選択図】図３
0003230182.tif 000002
【実用新案登録請求の範囲】
【請求項１】
鉤状のフック本体を有する玉掛け用フックにおいて、
前記フック本体の先端部に延長用アタッチメントが取り付けられたことを特徴とする玉掛け用フック。
【請求項２】
前記延長用アタッチメントは、基端部に前記フック本体の先端部外側に嵌合する連結部を備え、該連結部の外面に複数の溶接用凹部が形成されている請求項１に記載の玉掛け用フック。
【請求項３】
前記延長用アタッチメントは、前記フック本体の先端部に着脱可能に取り付けられた請求項１に記載の玉掛け用フック。
【請求項４】
前記延長用アタッチメントの端面又は前記フック本体の先端面の何れか一方に連結用ボルトが突設され、該連結用ボルトが前記延長用アタッチメントの端面又は前記フック本体の先端面の何れか他方に形成された雌ネジ部に螺合するようにした請求項３に記載の玉掛け用フック。
【請求項５】
前記延長用アタッチメントは、前記フック本体に吸着する磁石を備えている請求項３に記載の玉掛け用フック。
【請求項６】
前記延長用アタッチメントは、基端部に前記フック本体の先端部外側に嵌合する連結部を備え、該連結部の内側に配置された把持部材と、該把持部材と前記連結部の内側面との間に介在され、前記把持部材を前記フック本体側に付勢する付勢手段とを備え、前記把持部材に前記フック本体の先端部を把持させるようにした請求項３に記載の玉掛け用フック。
【請求項７】
前記延長用アタッチメントは、スライド可能に連結された複数のスライド部材を備え、伸縮可能な請求項１に記載の玉掛け用フック。
【請求項８】
前記延長用アタッチメントは、前記フック本体の先端部に回動軸を介して回動可能に連結され、前記フック本体側部側に折畳み可能な請求項１に記載の玉掛け用フック。
【考案の詳細な説明】
【技術分野】
【０００１】
本考案は、荷物をクレーンに取り付けるための玉掛け用フックに関する。
【背景技術】
【０００２】
従来、土木工事等の工事では、クレーンによって資材等を吊り上げて運搬する作業が頻繁に行われている。
【０００３】
クレーンには、吊りワイヤの下端に玉掛け用フックが取り付けられており、図８に示すように、この玉掛け用フック２０を吊環等の玉掛け対象物２１に係合（玉掛け）し、資材又は資材を吊り上げるようになっている。（例えば、特許文献１を参照）。尚、図中符号２２は玉掛け用フックが連結された吊りワイヤである。
【０００４】
この玉掛け作業は、有資格者（以下、玉掛け者という）によって行うことが義務化されており、当該玉掛け者がクレーンのオペレータと合図や音声通信等で連絡を取りつつ、チェーン若しくは吊りワイヤ―部分を持って玉掛け用フック２０を引き寄せ、フック本体２３を手に持って吊環等の玉掛け対象物２１に係合させるようになっている。
【先行技術文献】
【特許文献】
【０００５】
【特許文献１】特開２００６−２６４９５３号公報
【考案の概要】
【考案が解決しようとする課題】
【０００６】
しかしながら、上述の如き従来の技術では、図８に示すように、吊りワイヤとフック本体の先端部とが近い位置にあるため、玉掛け用フック２０の先端部を吊環等の玉掛け対象物２１に挿し込む際に、玉掛け用フック２１を吊環等の玉掛け対象物２１に近づけなければならず、玉掛け者とオペレータとの意思疎通がうまく行われないと、吊環と玉掛け用フックとの間に玉掛け者が指を挟んでしまい怪我をするおそれがあった。
【０００７】
特に、例えば、開削したエリアの地上と地下や海上と海中等のように、玉掛け者とクレーンのオペレータとの位置が隔てられた位置にあり、オペレータから玉掛け者の位置が見えない場合、お互いの作業状況を確認する手段が音声通信のみに限られ、玉掛け者とオペレータとが視覚を共有できないため、人払いの確認が行えず事故につながるケースも多くなっている。
【０００８】
また、吊り下ろした玉掛け用フックの位置が吊環等の玉掛け対象物から離れた位置にあると玉掛けが困難であるため、クレーンによる位置修正が必要となり、効率が悪いという問題があった。
【０００９】
そこで、本考案は、上述の如き従来の課題を鑑み、安全に効率よく玉掛け作業を行うことができる玉掛け用フックの提供を目的とする。
【課題を解決するための手段】
【００１０】
上述の如き従来の問題を解決するための請求項1に記載の考案の特徴は、鉤状のフック本体を有する玉掛け用フックにおいて、前記フック本体の先端部に延長用アタッチメントが取り付けられたことにある。
【００１１】
請求項２に記載の考案の特徴は、請求項１の構成に加え、前記延長用アタッチメントは、基端部に前記フック本体の先端部外側に嵌合する連結部を備え、該連結部の外面に複数の溶接用凹部が形成されていることにある。
【００１２】
請求項３に記載の考案の特徴は、請求項１の構成に加え、前記延長用アタッチメントは、前記フック本体の先端部に着脱可能に取り付けられたことにある。
【００１３】
請求項４に記載の考案の特徴は、請求項３の構成に加え、前記延長用アタッチメントの端面又は前記フック本体の先端面の何れか一方に連結用ボルトが突設され、該連結用ボルトが前記延長用アタッチメントの端面又は前記フック本体の先端面の何れか他方に形成された雌ネジ部に螺合するようにしたことにある。
【００１４】
請求項５に記載の考案の特徴は、請求項３の構成に加え、前記延長用アタッチメントは、前記フック本体に吸着する磁石を備えていることにある。
【００１５】
請求項６に記載の考案の特徴は、請求項３の構成に加え、前記延長用アタッチメントは、基端部に前記フック本体の先端部外側に嵌合する連結部を備え、該連結部の内側に配置された把持部材と、該把持部材と前記連結部の内側面との間に介在され、前記把持部材を前記フック本体側に付勢する付勢手段とを備え、前記把持部材に前記フック本体の先端部を把持させるようにしたことにある。
【００１６】
請求項７に記載の考案の特徴は、請求項１の構成に加え、前記延長用アタッチメントは、スライド可能に連結された複数のスライド部材を備え、伸縮可能なことにある。
【００１７】
請求項８に記載の考案の特徴は、請求項１の構成に加え、前記延長用アタッチメントは、前記フック本体の先端部に回動軸を介して回動可能に連結され、前記フック本体側部側に折畳み可能なことにある。
【考案の効果】
【００１８】
本考案に係る玉掛け用フックは、請求項１の構成を具備することによって、フックの先端部を吊環等の玉掛け対象物に挿入し易く、玉掛け者が吊環等の玉掛け対象物に触れる必要がないので、玉掛け者が吊環等の玉掛け対象物と玉掛け用フックとの間に指を挟むような事故を防止することができる。また、吊環等と吊り下ろされた玉掛け用フックの位置が離れている場合であっても、延長用アタッチメントに案内させて容易に吊環等の玉掛け対象物にフックを係合させることができる。
【００１９】
また、本考案において、請求項２の構成を具備することによって、既存の玉掛け用フックに延長用アタッチメントを容易且つ確実に取り付けることができる。
【００２０】
さらに、本考案において、請求項３の構成を具備することによって、状況に応じて延長用アタッチメントを着脱でき、例えば、延長用アタッチメントを用いて容易に玉掛け作業を行った後、玉外し作業の際には、邪魔にならないよう延長用アタッチメントを取り外すことができる。
【００２１】
また、本考案において、請求項４〜６の構成を具備することによって、フック本体に延長用アタッチメントを好適に着脱することができる。
【００２２】
さらに、本考案において、請求項７の構成を具備することによって、状況に応じて、延長用アタッチメントの長さを調整でき、例えば、延長用アタッチメントを用いて容易に玉掛け作業を行った後、玉外し作業の際には、邪魔にならないよう延長用アタッチメントを収縮させることができる。
【００２３】
さらにまた、本考案において、請求項８の構成を具備することによって、延長用アタッチメントを使用しない際には折畳むことによってコンパクトにすることができる。
【図面の簡単な説明】
【００２４】
【図１】本考案に係る玉掛け用フックの一例を示す側面図である。
【図２】同上の延長用アタッチメントを取り付ける前の状態を示す分解側面図である。
【図３】（ａ）同上の玉掛け用フックの玉掛け作業時の状態を示す側面図、（ｂ）は同吊環に玉掛けされた状態を示す側面図である。
【図４】（ａ）は本考案に係る玉掛け用フックの一例を示す側面図、（ｂ）は同延長用アタッチメントの取付部分を示す一部を破断した部分拡大側面図である。
【図５】（ａ）は本考案に係る玉掛け用フックのさらに一例を示す側面図、（ｂ）は同延長用アタッチメントを伸長させた状態を示す側面図である。
【図６】（ａ）は本考案に係る玉掛け用フックのさらに一例を示す側面図、（ｂ）は同延長用アタッチメントを展開した状態を示す側面図である。
【図７】（ａ）図６中のＡ−Ａ線矢視拡大図、（ｂ）は同Ｂ−Ｂ線矢視拡大図である。
【図８】従来の玉掛け作業の状態を示す側面図である。
【考案を実施するための形態】
【００２５】
次に、本考案に係る玉掛け用フックの第１実施例を図１〜図３に基づいて説明する。尚、図中符号１はクレーンより繰り出された吊りワイヤ、符号２は吊りワイヤ１に接続された玉掛け用フックである。
【００２６】
玉掛け用フック２は、吊りワイヤ１に連結されたアイリング等のワイヤ連結部３と、首部４を介してワイヤ連結部３に支持された鉤状（Ｕ字状）のフック本体５とを備え、フック本体５の先端部と首部４との間に開口部６が形成されている。
【００２７】
フック本体５は、開口部６を斜め上向きにした状態で一端が首部４に固定され、先細嘴状の先端部が斜め上向きに配置されている。
【００２８】
この玉掛け用フック２は、フック本体５の先端部に延長用アタッチメント７が取り付けられ、この延長用アタッチメント７に案内させることによって玉掛け作業を容易に行えるようになっている。
【００２９】
延長用アタッチメント７は、図１、図２に示すように、一定の長さを有する中空の嘴状に形成され、フック本体５の先端部に取り付けられることによって玉掛け用フック２の先端が先端側、本実施例では斜め上方に延長される。
【００３０】
よって、玉掛け用フック２は、先端が吊りワイヤ１から水平方向に一定の距離だけ離間する位置まで延長される。
【００３１】
この延長用アタッチメント７は、基端部にフック本体５の先端部と嵌合する嵌合部８を備え、嵌合部８の外面に複数の溶接用凹部８ａ，８ａが形成され、溶接によってフック本体５に固定されている。
【００３２】
溶接用凹部８ａ，８ａは、例えば、縁部が波形状に連続するように形成され、この溶接用凹部８ａ，８ａの縁部に沿ってフック本体５の外面に溶接されることによって、十分な溶接長が確保されている。尚、図中符号９は溶接部である。
【００３３】
尚、溶接用凹部８ａ，８ａの形状は、波形状に限定されず、例えば、一端が開口した矩形凹状等であってもよい。
【００３４】
このように構成された玉掛け用フック２は、延長用アタッチメント７によって先端の位置が延長されるので、図３（ａ）に示すように、玉掛け作業の際に、初めに延長用アタッチメント７のみを吊環等の玉掛け対象物１０に挿し込めばよく、フック本体５に手をかけた玉掛け者と吊環等の玉掛け対象物１０との間の距離を保つことができるので指詰め等の事故を防止し、安全に玉掛け作業を行うことができる。
【００３５】
また、吊り下ろされた玉掛け用フック２の位置と吊環等の玉掛け対象物１０との間に距離が生じている場合であっても、延長用アタッチメント７を吊環等の玉掛け対象物１０に挿し込み、延長用アタッチメント７に案内させることで容易に玉掛けすることができる。
【００３６】
さらに、このような玉掛け用フック２は、延長用アタッチメント７を備えることで、玉掛け作業が容易となることに加え、連結部３とフック先端部との水平方向距離が離れているため、カメラ等による位置把握が容易にとなり、空中ドローンや水中ドローン（ＲＯＶ：Ｒｅｍｏｔｅｌｙ  Ｏｐｅｒａｔｅｄ  Ｖｅｈｉｃｌｅ）、その他の無人機に好適に適用することができる。
【００３７】
尚、上述の実施例では、延長用アタッチメント７を溶接によってフック本体５に固定した場合について説明したが、図４に示す実施例のように、延長用アタッチメント７をフック本体５に着脱可能に取り付けてもよい。尚、上述の実施例と同様の構成には、同一符号を付して説明を省略する。
【００３８】
この実施例では、延長用アタッチメント７の端面に連結用ボルト１１が突設され、連結用ボルト１１がフック本体５の先端面に形成された雌ネジ部１２に螺合するようになっている。
【００３９】
延長用アタッチメント７は、鋳造により一定の長さを有する指状又は嘴状に形成され、基端に平坦な端面７ａが形成され、当該端面７ａに連結用ボルト１１が突設されている。
【００４０】
フック本体５は、先端部に所定の角度に表面が露出した端面５ａが形成され、当該端面に開口して雌ネジ部１２が形成されている。尚、本実施例では、フック本体５に雌ネジ部１２を形成しているが、フック本体５の先端部にナットを埋設してもよい。
【００４１】
尚、延長用アタッチメント７の端面７ａとフック本体５の端面５ａとの間には、ゴムなどの弾性体からなる環状の調節用パッキン１３が介在され、延長用アタッチメント７を螺合させ、所定の位置に合わせた際に延長用アタッチメント７の端面７ａとフック本体５の端面５ａとの間に隙間ができないようになっている。
【００４２】
尚、図４の実施例では、延長用アタッチメント７に連結用ボルト１１を突設した例について説明したが、フック本体５の先端部端面５ａに連結用ボルト１１を突設し、延長用アタッチメント７の端面５ａに開口するように雌ネジ部１２を設けてもよい。
【００４３】
また、特に図示しないが、延長用アタッチメント７と長さの異なる複数の切り換え用アタッチメントを用意し、用途や作業に応じて延長用アタッチメント７と切り換え用アタッチメントとを適宜選択して使用するようにしてもよい。
【００４４】
尚、延長用アタッチメント７とフック本体５とを着脱可能に取り付ける手段は、上述の実施例に限定されず、例えば、延長用アタッチメント７にフック本体５に吸着する磁石を備えるようにしてもよい。
【００４５】
また、その他の取付手段は、特に図示しないが、延長用アタッチメント７の基端部にフック本体５の先端部外側に嵌合する嵌合部８を備え、嵌合部８の内側に配置された把持部材と、把持部材と嵌合部８の内側面との間に介在され、把持部材をフック本体５側に付勢するコイルスプリングや板バネ等の付勢手段とを備え、把持部材にフック本体５の先端部を把持させるようにしたものであってもよい。
【００４６】
また、図５に示す実施例のように、延長用アタッチメント７は、スライド可能に連結された複数のスライド部材１４ａ〜１４ｄを備え、伸縮可能なものであってもよい。
【００４７】
各スライド部材１４ａ〜１４ｄは、互いにスライドさせた状態で径方向に連結ピン１５を挿し込むことによって伸長した状態で固定することができる。
【００４８】
図４又は５に示す実施例のように、延長用アタッチメント７を着脱又は伸縮できるようにすることによって、玉掛け時には、延長用アタッチメント７を装着又は伸長させ、延長用アタッチメント７に案内させて容易に玉掛けすることができる。
【００４９】
一方、玉掛け後には、延長用アタッチメント７を取り外し又は収縮させることによって、移動時の建造物等のへの接触を防止でき、玉外しも容易に行うことができる。
【００５０】
尚、延長用アタッチメント７は、図６、図７に示すように、フック本体５の先端部に回動軸１６を介して回動可能に連結され、フック本体５の側部側に折畳みできるようにしてもよい。
【００５１】
この場合、延長用アタッチメント７をフック本体５の側面部形状に合わせて形成することによって、折畳んだ際に延長用アタッチメント７をフック本体５の外側に被せて収納することができる。
【符号の説明】
【００５２】
１  吊りワイヤ
２  玉掛け用フック
３  ワイヤ連結部
４  首部
５  フック本体
６  開口部
７  延長用アタッチメント
８  嵌合部
９  溶接部
１０  玉掛け対象物
１１  連結用ボルト
１２  雌ネジ部
１３  調節用パッキン
１４ａ〜１４ｄ  スライド部材
１５  連結ピン
１６  回動軸
【図１】
0003230182.tif 000003
【図２】
0003230182.tif 000004
【図３】
0003230182.tif 000005
【図４】
0003230182.tif 000006
【図５】
0003230182.tif 000007
【図６】
0003230182.tif 000008
【図７】
0003230182.tif 000009
【図８】
0003230182.tif 000010